(57)【要約】【課題】本発明は自動取引装置に関し、表示を見やすくし、表示から直接必要とする媒体の情報が判るようにする。【解決手段】制御部１は、スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにすると共に、前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する。【選択図】　　　　図１
2004038835.tif 000002
【特許請求の範囲】
【請求項１】
媒体を収納するスタッカ、カセット、通帳収納部、及び各種制御を行う制御部を備えた自動取引装置において、
前記制御部は、
前記スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにする媒体表示手段を備えると共に、
前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する更新表示手段を備えていることを特徴とする自動取引装置。
【請求項２】
前記制御部は、
前記表示において、表示出来る最大の画面領域と、その収納部に収納できる媒体の最大枚数を比較して、グラフを最大限に大きく表示させるグラフ最大限表示手段を備えていることを特徴とする請求項１記載の自動取引装置。
【請求項３】
前記制御部は、
収納できる媒体の種類を判断し、その媒体の種類の横に媒体の画像も表示させる媒体画像表示手段を備えていることを特徴とする請求項１記載の自動取引装置。
【発明の詳細な説明】
【０００１】
【発明の属する技術分野】本発明は、少なくとも、媒体を収納するスタッカ、カセット、通帳収納部及び各種制御を行う制御部を備えた自動取引装置に関する。
【０００２】
【従来の技術】以下、従来例について説明する。
【０００３】
（１）　：自動取引装置の説明
図１４は従来の自動取引装置のブロック図である。従来、自動取引装置（例えば、ＡＴＭ）には、全体の制御を行う制御部１と、ＤＯＣ（Ｄｏｃｕｍｅｎｔ　Ｏｕｔｐｕｔ　ａｎｄ　Ｃａｒｄ　Ｒｅａｄｅｒ　Ｗｒｉｔｅｒ）２と、該ＤＯＣ２内のＣＩＰ（Ｃａｒｄ　Ｒｅａｄｅｒ／Ｗｒｉｔｅｒ　Ｉｍａｇｅ　Ｒｅａｄｅｒ　Ｐｒｉｎｔｅｒ　）３と、ＰＰＲ（Ｐａｓｓｂｏｏｋ　Ｐｒｉｎｔｅｒ）４と、ＢＲＵ（Ｂｉｌｌ　Ｒｅｃｙｃｌｅ　Ｕｎｉｔ　）５と、ＣＲＵ（Ｃｏｉｎ　Ｒｅｃｙｃｌｅ　Ｕｎｉｔ　）６と、顧客操作部７と、管理操作部８と、ハードディスク装置（ＨＤＤ）９等を備えている。また、制御部１には、センタ／ターミナルコントローラ２１と、遠隔監視装置２２がネットワークを介して接続されている。
【０００４】
このようなシステムの運用時には、制御部１の制御により、ＰＰＲ４の通帳発行部内の通帳の数や、ＢＲＵ５内の現金の枚数、ＣＲＵ６内の現金の枚数等が遠隔監視装置２２で常時監視され、そのデータがハードディスク装置９に格納されている。
【０００５】
（２）　：従来、ＡＴＭ等の自動取引装置に設けた管理操作部８の表示画面において、カセット、スタッカ内に収納されている現金／通帳の収納枚数は表示していた。また、現金／通帳に収納できる最大枚数（収納最大枚数）のデータは持っていたが、表示はしていなかった。また、補充できる枚数を収納枚数とは別に表示していた。
【０００６】
そのため、係員は、あと何枚位補充できるのか、持っているデータを見れば判断することは可能であるが、どの位収納の空きがあるのか、収納できる最大枚数（収納最大枚数）にどの位近い枚数なのか／空になるまでにあとどの位で近い状態になるのかを瞬時に正確に把握することができなかった。そのため、係員は、現金／通帳の補充をいつすれば良いのか、回収すれば良いのかを警告表示がでる前に判断、指示することは困難であった。
【０００７】
また、同じ大きさの複数の収納部（スタッカ、カセット、通帳収納部を含む）に収納枚数が違う媒体を収納する場合、現状収納済枚数が表示されているだけであるため、媒体毎に収納できる最大枚数（収納最大枚数）と収納できる媒体の種類を把握することは困難であった。
【０００８】
従って、係員の運用に支障を来し、補充／回収の警告（装置休止／取引縮退）になってから現金／通帳を補充／回収する場合があった。また、何処に補充すれば良いのかも、表示されているラベル（表示された文字）を確認しなければならず、補充／回収する媒体を間違う可能性があった。
【０００９】
【発明が解決しようとする課題】前記のような従来のものにおいては、次のような課題があった。
【００１０】
すなわち、自動取引装置の管理操作部の表示画面において、カセット、スタッカ内に収納されている現金／通帳の収納枚数と、その収納部に収納できる最大枚数（収納最大枚数）が個別に数字で表示され、また、自動取引装置の収納部は、設定やその時の収納部の状態により、収納枚数が異なってしまい、その関連性が把握しずらく、補充／回収のタイミングが遅れてしまう。また、補充／回収する媒体の種類が文字のみで表現されているため、補充／回収する媒体を間違い易かった。
【００１１】
本発明は、このような従来の課題を解決し、表示を見やすくし、表示から直接必要とする媒体の情報が判るようにすることを目的とする。
【００１２】
【課題を解決するための手段】本発明は前記の目的を達成するため、次のように構成した。
【００１３】
（１）　：媒体を収納するスタッカ、カセット、通帳収納部、及び各種制御を行う制御部を備えた自動取引装置において、前記制御部は、前記スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにする媒体表示手段を備えると共に、前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する更新表示手段を備えている。
【００１４】
（２）　：前記（１）　の自動取引装置において、前記制御部は、前記表示において、表示出来る最大の画面領域と、その収納部に収納できる媒体の最大枚数を比較して、グラフを最大限に大きく表示させるグラフ最大限表示手段を備えていることを特徴とする
（３）　：前記（１）　の自動取引装置において、前記制御部は、収納できる媒体の種類を判断し、その媒体の種類の横に媒体の画像も表示させる媒体画像表示手段を備えていることを特徴とする。
【００１５】
（作用）
前記構成に基づく本発明の作用を、図１に基づいて説明する。
【００１６】
（ａ）　：制御部１の媒体表示手段は、スタッカ、カセット、通帳収納部を含めた収納部全体の収納済媒体枚数をグラフにして、管理操作部８の表示画面に表示する。そして、その外枠に前記収納部に収納できる媒体の最大枚数を重ねて表示させ、収納済媒体枚数と、収納できる最大枚数の関係を明らかにする。
【００１７】
また、更新表示手段は、前記収納部に収納できる最大枚数が、該収納部の設定／装着状態や他の媒体で前記の状態から変化した場合、外枠自体の大きさを変化させることで、現状の収納済媒体枚数と収納できる最大枚数の関係を更新して表示する。このようにすれば、表示を見やすくし、表示から直接必要とする媒体の情報が判る。
【００１８】
（ｂ）　：前記（２）　では、制御部１のグラフ最大限表示手段は、前記管理操作部８の表示画面の表示において、表示出来る最大の画面領域と、その収納部に収納できる媒体の最大枚数を比較して、グラフを最大限に大きく表示させる。このようにすれば、表示を見やすくし、表示から直接必要とする媒体の情報が判るようにすることができる。
【００１９】
（ｃ）　：前記（３）　では、制御部１の媒体画像表示手段は、収納できる媒体の種類を判断し、その媒体の種類の横に媒体の画像も表示させる。このようにすれば、表示を見やすくし、表示から直接必要とする媒体の情報が判るようにすることができる。
【００２０】
【発明の実施の形態】以下、本発明の実施の形態を図面に基づいて詳細に説明する。
【００２１】
§１：システムの説明
図２はシステムの説明図である。このシステムは、銀行等の金融機関の営業店等に設置された各ＡＴＭと、遠隔地にある監視センタ内の遠隔監視装置２２とをネットワークを介して接続したシステムである。
【００２２】
例えば、営業店ＡにはＡＴＭ＃１、＃２、＃３が設けてあり、営業店ＢにはＡＴＭ＃１、＃２、＃３が設けてあり、店舗外（無人店舗やコンビニエンスストア等）のＡＴＭ＃１、＃２をそれぞれＩＳＤＮ等のネットワークを介して、監視センタ内に設置された遠隔監視装置２２に接続されている。
【００２３】
このシステムでは、前記各ＡＴＭの稼働状況等を遠隔監視装置２２により監視しており、いずれかのＡＴＭに異常が発見されれば、その異常に対し遠隔監視装置２２から指示を出し、異常になったＡＴＭの修復等を行うようになっている。そのため、遠隔監視装置２２では、前記各ＡＴＭの稼働状況を表示装置の画面に表示することで、オペレータが監視を行っている。
【００２４】
§２：自動取引装置の説明
図３は自動取引装置のブロック図である。自動取引装置には、制御部１と、ＤＯＣ（Ｄｏｃｕｍｅｎｔ　Ｏｕｔｐｕｔ　ａｎｄ　Ｃａｒｄ　Ｒｅａｄｅｒ　Ｗｒｉｔｅｒ）２と、該ＤＯＣ２内のＣＩＰ（Ｃａｒｄ　Ｒｅａｄｅｒ／Ｗｒｉｔｅｒ　Ｉｍａｇｅ　Ｒｅａｄｅｒ　Ｐｒｉｎｔｅｒ　）３と、ＰＰＲ（Ｐａｓｓｂｏｏｋ　Ｐｒｉｎｔｅｒ）４と、ＢＲＵ（Ｂｉｌｌ　Ｒｅｃｙｃｌｅ　Ｕｎｉｔ　）５と、ＣＲＵ（Ｃｏｉｎ　Ｒｅｃｙｃｌｅ　Ｕｎｉｔ　）６と、顧客操作部７と、管理操作部８と、ハードディスク装置（ＨＤＤ）９と、フレキシブルディスクドライブ（ＦＤＤ）１０と、電源部１１等を備えている。
【００２５】
また、制御部１には、Ｉ／Ｏ制御部１２と、ＣＰＵ１３と、メモリ１４等を備えている。そして、制御部１には、センタ／ターミナルコントローラ２１と、遠隔監視装置２２がネットワークを介して接続されている。
【００２６】
このようなシステムの運用時には、制御部１の制御により、ＰＰＲ４の通帳発行部内の通帳の数や、ＢＲＵ５内の現金の枚数、ＣＲＵ６内の現金の枚数等が常時監視され、そのデータがハードディスク装置９に格納されている。
【００２７】
なお、前記ハードディスク装置９には、以下に説明する処理を実行させるためのプログラムを格納しておき、このプログラムをＣＰＵ１３が読み出して実行することで、以下に説明する処理を実現させる。例えば、制御部１のＣＰＵ１３は、次のように処理を行う。
【００２８】
（１）　：制御部１のＣＰＵ１３は、前記スタッカ、カセット、通帳収納部を含めた収納部全体の収納済媒体枚数をグラフにして、管理操作部８の液晶表示パネルの表示画面に表示させ、その外枠に、前記収納部に収納できる媒体の最大枚数を重ねて表示させ、収納済媒体枚数と、収納できる最大枚数の関係を明らかにする。
【００２９】
また、前記収納部に収納できる最大枚数が、該収納部の設定／装着状態や他の媒体で前記の状態から変化した場合、外枠自体の大きさを変化させることで、現状の収納済媒体枚数と収納できる最大枚数の関係を更新して表示する。
【００３０】
（２）　：前記制御部１のＣＰＵ１３は、前記表示において、表示出来る最大の画面領域と、その収納部に収納できる媒体の最大枚数を比較して、グラフを最大限に大きく表示させる。
【００３１】
（３）　：前記制御部１のＣＰＵ１３は、収納できる媒体の種類を判断し、その媒体の種類の横に媒体の画像（写真又は絵画等）も表示させる。
【００３２】
§３：ＢＲＵの説明
図４はＢＲＵのブロック図である。先ず、Ｒカセット２７とＦカセット２８（係員金庫）が装着された状態で、該Ｒカセット２７とＦカセット２８から搬送路へ紙幣を繰り出し、該紙幣を鑑別部２９まで搬送する。搬送された紙幣は、鑑別部２９により鑑別し、金種別に分けて、Ｒスタッカ２５とＦスタッカ２６へ振り分けて収納する。この処理により、Ｒスタッカ２５とＦスタッカ２６への紙幣の補充を行う。
【００３３】
出金時には、Ｒスタッカ２５とＦスタッカ２６から搬送路へ紙幣を繰り出し、鑑別部２９まで搬送する。そして、鑑別部２９で鑑別を行った後、バッファプール部３０にプールし、出金紙幣をまとめて現金出入口３１へ排出する。現金出入口３１へ紙幣を排出した後、紙幣シャッタ（現金出入口３１に設けたシャッタ）を開けて、前記紙幣を出金する。このような処理により、顧客に対する紙幣の出金を行う。
【００３４】
一方、入金時には、先ず、現金出入口３１の紙幣シャッタを開けて、現金出入口３１から投入された紙幣を鑑別部２９まで搬送し、外紙幣の鑑別を行う。鑑別後、バッファプール部３０に一時プールしておく。そして、顧客の入金金額承認により、バッファプール部３０にプールしてある紙幣を現金出入口３１へ搬送し、更に、鑑別部２９で金種を鑑別し、金種別に各紙幣スタッカへ収納する。
【００３５】
また、取忘部３２は、現金出入口３１へ排出した媒体を顧客が取り忘れた場合に、その媒体を収納しておくものである。また、運用リジェクト部３３は、自動取引装置の運用中にリジェクトになった媒体（例えば、偽札）を収納しておくものである。なお、ＣＲＵもスタッカ及びカセットの数は変わるが、基本的な動作はＢＲＵと同じである。
【００３６】
§４：ＰＰＲの説明
図５はＰＰＲのブロック図である。前記ＰＰＲ４は、通帳を発行するための前段発行部４５と後段発行部４６を備えており、前記前段発行部４５にはカセット１とカセット２の２つの種類の異なる通帳を収納でき、後段発行部４６にはカセット３とカセット４の２つの種類の異なる通帳を収納できるようになっている。
【００３７】
また、ＰＰＲ４には、帳票から光学的に印字行等の情報を読み取る光学部４７と、通帳に取引データを印字する印字部４８と、通帳の捲り動作を行う捲り部４９と、通帳を繰り出す繰り出し部５３と、通帳を所定の位置まで搬送する搬送路５０と、リジェクト対象の通帳を収納するリジェクトボックス５２と、通帳のＭＳ（磁気ストライプ）に対し、情報の書き込み及び読み出しを行うＭＳ部５１等を備えている。
【００３８】
§５：動作概要の説明
図６は処理の説明図であり、Ａ図は処理例１、Ｂ図は処理例２、Ｃ図は処理例３、Ｄ図は処理例４を示す。以下のユニット状態時の例を説明する。
【００３９】
（１）　：初期設定データ等の説明
（最大収納容量）
例えば、次のような媒体の最大収納容量（ＢＲＵ内）のデータが、予めハードディスク装置９に格納されているものとする。
【００４０】
▲１▼：Ｆカセット　１０００枚収納可能
▲２▼：Ｒカセット　１０００枚収納可能
▲３▼：Ｆスタッカ　１０００枚収納可能
▲４▼：Ｒスタッカ　１０００枚収納可能
（収納済媒体枚数）
現状のＢＲＵ内の収納済枚数（ＣＰＵ１３の制御で検出するもの）が次のようになっているものとする。
【００４１】
▲１▼：Ｆカセット（紙幣万円券／千円券混合）、万円券２００枚／千円券５００枚収納済
▲２▼：Ｒカセット（紙幣万円券／千円券混合）、収納済枚数０枚
▲３▼：Ｆスタッカ（万円券設定）、万券８００枚収納済
▲４▼：Ｒスタッカ（千円券設定）、千券５００枚収納済
（２）　：処理例１
このような状況において、収納される媒体の最大枚数を算出して、その枚数に合う表示画像（外枠の背景）を複数用意した（ハードディスク装置９内に予め設定しておく）画像の中より選択する。例えば、スタッカモードが、万円券設定と千円券設定、Ｆ／Ｒカセットが両方共に混合であることにより、図６のＡ図に示した処理例１の画像２（３０００枚）を選択する。
【００４２】
（３）　：処理例２
▲１▼：収納部の設定や装着状態カセットや他の媒体の影響で変化した収納される媒体の最大枚数を算出し、収納済媒体枚数を表示させる外枠の大きさを決定する。
【００４３】
例えば、図６のＢ図のように、万円券の場合、既に混合カセット内に千円券５００枚が収納されているため、万円券の上限値を５００枚少なくする。また、千円券の場合、既に混合カセット内に万円券２００枚が収納されているため、千円券の上限値を２００枚少なくする。
【００４４】
（４）　：処理例３
◎：例えば、図６のＣ図のように、収納枚数を表示する。万円券の場合、カセット内＝２００枚、スタッカ内＝８００枚なので、収納済枚数＝１０００枚とし、これを棒グラフで表示する。
【００４５】
（５）　：処理例４
◎：例えば、図６のＤ図のように、収納される媒体の種類を判断し、その媒体の画像を媒体の種類名の横に表示する。このように、並んで媒体の画像（写真、又は絵画等）を表示することにより媒体の種類がわかり易くなる。
【００４６】
（６）　：処理例５
◎：新たに収納できる最大枚数が収納部の設定や装着状態カセットや他の媒体の影響で変化した場合、前記例２を再度実施して外枠の大きさを変化させる。
【００４７】
以上のようにすれば、収納限度枚数と収納済枚数を同時にビジュアル表示することにより、自動取引装置の収納部やその時の収納部の状態により、収納枚数が異なった場合でも、収納限度枚数と収納済枚数の関連性が把握しやすいために、補充／回収のタイミングが取りやすく、対応の遅れが減少する。また、媒体とその媒体の画像を一緒に表示することで、補充／回収する媒体を間違ってしまうことが少なくなる。
【００４８】
§６：動作の説明
以下、図７〜図９に基づき、動作を説明する。
【００４９】
（１）　：初期登録データの説明
以下の初期設定データを、予めハードディスク装置９に格納しておく。
【００５０】
（１）　：ＢＲＵのデータとしては、図７のＡ図のように、Ｆスタッカの最大収納枚数、Ｒスタッカの最大収納枚数、Ｆカセットの最大収納枚数、Ｒカセットの最大収納枚数である。
【００５１】
また、ＣＲＵのデータとしては、図７のＢ図に示したように、一円スタッカの最大収納枚数、五円スタッカの最大収納枚数、五千円スタッカの最大収納枚数、百円スタッカの最大収納枚数である。その他、図７のＣ図に示した補充カセットのデータや、図７のＤ図に示したように通帳のデータも同様にして格納しておく。
【００５２】
（２）　：ＢＲＵのデータとしては、図８のＡ図のように、Ｆスタッカの金種設定、Ｒスタッカの金種設定、Ｆカセットの金種設定、Ｒカセットの金種設定である。
【００５３】
（３）　：通帳のデータとしては、図８のＢ図に示したように、発行カセット１の通帳の種類、発行カセット２の通帳の種類、発行カセット３の通帳の種類、発行カセット４の通帳の種類である。
【００５４】
（４）　：自動取引装置には、スタッカとカセットという２つの収納部（それぞれ１つずつ収納部があり、合計４つの収納部がある）があり、スタッカの設定やカセットの設定により収納最大枚数が異なる。万円券で考えてみると、１つのスタッカが１０００枚の紙幣が収納できる場合、合計すると２０００枚だが、両方のスタッカが万円券設定の場合、２０００枚、片方のスタッカが万円設定、もう一方のスタッカが千円券設定の場合、１０００枚と万円券の収納できる枚数は異なる。
【００５５】
また、カセットにも同様なことが言える。すなわち、カセットの場合は、１カセットに万／千円券どちらも収納できる設定が可能である。これを場合分けすると、図９のデータ例３のようになる。この例によれば、次の通りである。
【００５６】
（万円券の最大収納枚数）・・・（１カセット／１スタッカ共に物理収納枚数を１０００枚として算出）
▲１▼：カセットの設定が、２カセット共に万円券設定の場合、スタッカの設定が、２カセット共に万円券設定＝４０００枚、１スタッカ万円券設定で１スタッカ千円券設定＝３０００枚である。
【００５７】
▲２▼：カセットの設定が、２カセット共に千円券設定の場合、スタッカの設定が、２カセット共に万円券設定＝２０００枚、１スタッカ万円券設定で１スタッカ千円券設定＝１０００枚である。
【００５８】
▲３▼：カセットの設定が、１カセット万円券設定、１カセット万／千円券混合設定の場合、スタッカの設定が、２カセット共に万円券設定＝４０００枚、１スタッカ万円券設定で１スタッカ千円券設定＝３０００枚である。
【００５９】
▲４▼：カセットの設定が、１カセット千円券設定、１カセット万／千円券混合設定の場合、スタッカの設定が、２カセット共に万円券設定＝３０００枚、１スタッカ万円券設定で１スタッカ千円券設定＝２０００枚である。
【００６０】
▲５▼：カセットの設定が、２カセット共に万／千円券混合設定の場合、スタッカの設定が、２カセット共に万円券設定＝４０００枚、１スタッカ万円券設定で１スタッカ千円券設定＝３０００枚である。
【００６１】
なお、図９の（注）は、混合設定のカセット内の千円券の状態により万円券の最大収納枚数は可変する。
【００６２】
（千円券の最大収納枚数）・・・（１カセット／１スタッカ共に物理収納枚数を１０００枚として算出）
▲１▼：カセットの設定が、２カセット共に万円券設定の場合、スタッカの設定が、２カセット共に万円券設定＝０枚、１スタッカ万円券設定で１スタッカ千円券設定＝１０００枚である。
【００６３】
▲２▼：カセットの設定が、２カセット共に千円券設定の場合、スタッカの設定が、２カセット共に万円券設定＝２０００枚、１スタッカ万円券設定で１スタッカ千円券設定＝３０００枚である。
【００６４】
▲３▼：カセットの設定が、１カセット万円券設定、１カセット万／千円券混合設定の場合、スタッカの設定が、２カセット共に万円券設定＝１０００枚、１スタッカ万円券設定で１スタッカ千円券設定＝２０００枚である。
【００６５】
▲４▼：カセットの設定が、１カセット千円券設定、１カセット万／千円券混合設定の場合、スタッカの設定が、２カセット共に万円券設定＝２０００枚、１スタッカ万円券設定で１スタッカ千円券設定＝３０００枚である。
【００６６】
▲５▼：カセットの設定が、２カセット共に万／千円券混合設定の場合、スタッカの設定が、２カセット共に万円券設定＝２０００枚、１スタッカ万円券設定で１スタッカ千円券設定＝３０００枚である。
【００６７】
なお、図９の（注）は、混合設定のカセット内の万円券の状態により可変する。
【００６８】
§７：フローチャートによる処理の説明
図１０〜図１２に基づき制御部の処理を説明する。
【００６９】
（１）　：グラフ目盛り画像選択処理
図１０は、グラフ目盛り画像選択処理説明図であり、Ａ図は処理フローチャート、Ｂ図は画像の種類を示す。
【００７０】
先ず、制御部１のＣＰＵ１３は、スタッカ内枚数を算出し（Ｓ１）、カセット内枚数を算出する（Ｓ２）。この場合、ＢＲＵ５とＣＲＵ６については金種毎の最大収納枚数（紙幣又は硬貨）であり、通帳は最大収納枚数（冊数）である。そして、算出枚数有りか否かを判断し（Ｓ３）、有れば、画像を選択（算出した枚数で画像の種類を選択）する（Ｓ４）。しかし、無ければ（＝０）、そのまま処理を終了する。
【００７１】
このようにして、収納最大枚数を算出し、画像を選択する（予め、画像１〜画像３等をハードディスク装置９に格納しておき、任意に選択する）ことで、限られたスペースの中で最大の大きさで表示する（図１０のＢ図に示した画像１、画像２、画像３）。この場合、▲１▼：画像１は、最大表示枚数＝Ａ、最大２０００枚、▲２▼：画像２は、最大表示枚数＝Ｂ、最大３０００枚、▲３▼：画像３は、最大表示枚数＝Ｃ、最大４０００枚であり、いずれも表示フィールドの最大値で表示する。なお、画像１、２、３の枠は、空の表示領域である。
【００７２】
（２）　：金種毎の収納最大枚数を求める処理
図１１は、金種毎の収納最大枚数を求める処理のフローチャート（その１）、図１２は金種毎の収納最大枚数を求める処理のフローチャート（その２）である。以下、図１１、図１２に基づいて、金種毎の収納最大枚数を求める処理を説明する。なお、Ｓ１１〜Ｓ２３は各処理ステップを示す。
【００７３】
先ず、制御部１のＣＰＵ１３はスタッカモード判定を行う（Ｓ１１）。この場合、例えば、ＢＲＵ５であれば、ＢＲＵ５との通信により、ＲスタッカとＦスタッカが両方共万円券か、万円券と千円券かの判断を行う。その結果、万／千円券であれば、万円収納限度枚数＝１０００枚、千円収納限度枚数＝１０００枚として（Ｓ１３）、Ｆカセット金種設定を判定する（Ｓ１４）。しかし、万／万券であれば、万円収納限度枚数＝２０００枚、千円収納限度枚数＝０とし（Ｓ１２）Ｓ１４の処理へ移行する。
【００７４】
前記Ｓ１４の処理において、万円単一であれば、万円収納限度枚数＝万円収納枚数＋カセット収納限度枚数−Ｆカセット万円以外枚数とする（Ｓ１５）。また、千円単一であれば、千円収納限度枚数＝千円収納枚数＋カセット収納限度枚数−Ｆカセット千円以外枚数とする（Ｓ１６）。また、混合であれば、万円収納限度枚数＝万円収納限度枚数＋カセット収納限度枚数−Ｆカセット以外枚数とし（Ｓ１７）、千円収納限度枚数＝千円収納限度枚数＋カセット収納限度枚数−Ｆカセット以外枚数とする（Ｓ１８）。
【００７５】
更に、Ｒカセット金種設定を判定する（Ｓ１９）。その結果、万円単一であれば、万円収納限度枚数＝万円収納枚数＋カセット収納限度枚数−Ｆカセット万円以外枚数とする（Ｓ２０）。次に、千円単一であれば、千円収納限度枚数＝千円収納枚数＋カセット収納限度枚数−Ｆカセット千円以外枚数とし（Ｓ２１）、混合であれば、万円収納限度枚数＝万円収納限度枚数＋カセット収納限度枚数−Ｆカセット以外枚数として（Ｓ２２）、更に、千円収納限度枚数＝千円収納限度枚数＋カセット収納限度枚数−Ｆカセット以外枚数とし（Ｓ２３）、この処理を終了する。
【００７６】
§８：表示例の説明
図１３は表示例の説明図である。前記処理により、収納最大枚数とが算出できたら、枚数に合わせてグラフ枠の画像を調整する。ベースの画像をハードディスク装置９から選択し、その後、枚数により画像を変化させることで、混合カセット内に万円券／千円券など、複数の媒体が収納される場合でも、収納限度の把握が容易になる。
【００７７】
この例では、管理操作部８の表示画面に、前記処理で得た情報をグラフ表示する。この場合、図１３のように、▲１▼が万円券の収納限度（最大収納枚数）、▲２▼が万円券の現状枚数（棒グラフ）、▲３▼図が万円券の収納可能枚数（空の領域）を示している。また、３５は万円券の写真（万円券画像）、３６は二千円券の写真（二千円券画像）、３７は千円券の写真（千円券画像）を示す。
【００７８】
§９：その他の説明
前記表示処理を行うためのデータは、制御部１のメモリ１４に一旦格納された後、管理操作部８へ送り、管理操作部８の液晶表示パネルで表示する。この場合、前記メモリ１４に格納されたデータを、遠隔監視装置２２へ通信回線を介して送り、この遠隔監視装置２２の表示画面でも表示する。このようにすれば、監視センタの遠隔監視装置２２の画面でも、自動取引装置の画面と同様な表示画像を見ることが可能になる。
【００７９】
前記の説明に対し、次の構成を付記する。
【００８０】
（付記１）
媒体を収納するスタッカ、カセット、通帳収納部、及び各種制御を行う制御部を備えた自動取引装置において、
前記制御部は、
前記スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにする媒体表示手段を備えると共に、
前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する更新表示手段を備えていることを特徴とする自動取引装置。
【００８１】
（付記２）
前記制御部は、
前記表示において、表示出来る最大の画面領域と、その収納部に収納できる媒体の最大枚数を比較して、グラフを最大限に大きく表示させるグラフ最大限表示手段を備えていることを特徴とする（付記１）記載の自動取引装置。
【００８２】
（付記３）
前記制御部は、
収納できる媒体の種類を判断し、その媒体の種類の横に媒体の画像も表示させる媒体画像表示手段を備えていることを特徴とする（付記１）記載の自動取引装置。
【００８３】
（付記４）
コンピュータに、
スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにする媒体表示手段を備えると共に、
前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する更新表示手段の機能を実現させるためのプログラムを記録したコンピュータ読み取り可能な記録媒体。
【００８４】
（付記５）
コンピュータに、
スタッカ、カセット、通帳収納部を含めた収納部全体の収納済媒体枚数をグラフにして表示させ、その外枠に、前記収納部に収納できる媒体の最大枚数を重ねて表示させ、収納済媒体枚数と、収納できる最大枚数の関係を明らかにする媒体表示手段を備えると共に、
前記収納部に収納できる媒体の最大枚数が、該収納部の設定／装着状態や他の媒体で前記の状態から変化した場合、前記外枠自体の大きさを変化させることで、現状の収納済媒体枚数と収納できる最大枚数の関係を更新して表示する更新表示手段の機能を実現させるためのプログラム。
【００８５】
【発明の効果】以上説明したように、本発明によれば次のような効果がある。
【００８６】
（１）　：請求項１では、制御部の媒体表示手段は、スタッカ、カセット、通帳収納部を含めた収納部全体の収納済媒体枚数をグラフにして表示させ（管理操作部の表示画面に表示）、その外枠に前記収納部に収納できる媒体の最大枚数を重ねて表示させ、収納済媒体枚数と、収納できる最大枚数の関係を明らかにする。
【００８７】
また、更新表示手段は、前記収納部に収納できる最大枚数が、該収納部の設定／装着状態や他の媒体で前記の状態から変化した場合、外枠自体の大きさを変化させることで、現状の収納済媒体枚数と収納できる最大枚数の関係を更新して表示する。
【００８８】
このようにすれば、表示を見やすくし、表示から直接必要とする媒体の情報が判る。また、収納限度枚数と収納済枚数を同時にビジュアル表示することにより、自動取引装置の収納部やその時の収納部の状態により、収納枚数が異なった場合でも、収納限度枚数と収納済枚数の関連性が把握しやすいために、補充／回収のタイミングが取りやすく、対応の遅れが減少する。
【００８９】
（２）　：請求項２では、制御部のグラフ最大限表示手段は、表示出来る最大の画面領域と、その収納部に収納できる媒体の最大枚数を比較して、グラフを最大限に大きく表示させる。このようにすれば、表示を見やすくし、表示から直接必要とする媒体の情報が判るようにすることができる。
【００９０】
（３）　：請求項３では、制御部の媒体画像表示手段は、収納できる媒体の種類を判断し、その媒体の種類の横に媒体の画像も表示させる。このようにすれば、表示を見やすくし、表示から直接必要とする媒体の情報が判る。また、媒体とその媒体の画像を一緒に表示することで、補充／回収する媒体を間違ってしまうことが少なくなる。
【図面の簡単な説明】
【図１】本発明の原理説明図である。
【図２】本発明の実施の形態におけるシステムの説明図である。
【図３】本発明の実施の形態における自動取引装置のブロック図である。
【図４】本発明の実施の形態におけるＢＲＵのブロック図である。
【図５】本発明の実施の形態におけるＰＰＲのブロック図である。
【図６】本発明の実施の形態における処理の説明図である。
【図７】本発明の実施の形態におけるデータ例１である。
【図８】本発明の実施の形態におけるデータ例２である。
【図９】本発明の実施の形態におけるデータ例３である。
【図１０】本発明の実施の形態におけるグラフ目盛り画像選択処理説明図であり、Ａ図は処理フローチャート、Ｂ図は画像の種類を示す。
【図１１】本発明の実施の形態における金種毎の収納最大枚数を求める処理のフローチャート（その１）である。
【図１２】本発明の実施の形態における金種毎の収納最大枚数を求める処理のフローチャート（その２）である。
【図１３】本発明の実施の形態における表示例である。
【図１４】従来の自動取引装置のブロック図である。
【符号の説明】
１　制御部
２　ＤＯＣ
３　ＣＩＰ
４　ＰＰＲ
５　ＢＲＵ
６　ＣＲＵ
７　顧客操作部
８　管理操作部
９　ハードディスク装置（ＨＤＤ）
１１　電源部
１２　Ｉ／Ｏ制御部
１３　ＣＰＵ
１４　メモリ
２１　センタ／ターミナルコントローラ
２２　遠隔監視装置
２５　Ｒスタッカ
２６　Ｆスタッカ
２７　Ｒカセット
２８　Ｆカセット
２９　鑑別部
３０　バッファプール部
３１　現金出入部
３２　取忘部
３３　運用リジェクト部
４５　前段発行部
４６　後段発行部
４７　光学部
４８　印字部
４９　捲り部
５０　搬送路
５１　ＭＳ部
５２　リジェクトボックス
５３　繰り出し部
【図１】
2004038835.tif 000003
【図２】
2004038835.tif 000004
【図３】
2004038835.tif 000005
【図４】
2004038835.tif 000006
【図５】
2004038835.tif 000007
【図６】
2004038835.tif 000008
【図７】
2004038835.tif 000009
【図８】
2004038835.tif 000010
【図９】
2004038835.tif 000011
【図１０】
2004038835.tif 000012
【図１１】
2004038835.tif 000013
【図１２】
2004038835.tif 000014
【図１３】
2004038835.tif 000015
【図１４】
2004038835.tif 000016